(57)【要約】      （修正有）【課題】活性炭によっては吸着脱臭されにくい尿漏れに伴う悪臭を吸着して脱臭する性能に優れた養介護用臭気吸着脱臭シートを提供する。使い勝手のよい養介護用臭気吸着脱臭シートを提供する。【解決手段】基布に、活性炭を除く無機系臭気吸着剤の粉末を担持させたシート状物。シート状物は、無機系臭気吸着剤を混合することによる二次凝集を抑制するための二次凝集防止処理を行った水に、上記無機系臭気吸着剤の粉末と、基布に対する上記粉末の担持性を改善するためのバインダー成分とを混合することにより調製された液状物を、上記基布に保持させた後に液状成分を除去することによって製作されている。無機系臭気吸着剤が、鉛、クロムなどの無機物の酸化物、又は、コバルト、ニッケルなどの無機物の炭酸塩でなる。【選択図】図１
0003113071.tif 000002
【実用新案登録請求の範囲】
【請求項１】
基布に、活性炭を除く無機系臭気吸着剤の粉末を担持させたシート状物でなることを特徴とする養介護用臭気吸着脱臭シート。
【請求項２】
上記シート状物が、無機系臭気吸着剤を混合することによる二次凝集を抑制するための二次凝集防止処理を行った水に、上記無機系臭気吸着剤の粉末と、基布に対する上記粉末の担持性を改善するためのバインダー成分とを混合することにより調製された液状物を、上記基布に保持させた後に液状成分を除去することによって製作されている請求項１に記載した養介護用臭気吸着脱臭シート。
【請求項３】
上記液状物を上記基布に含浸させるか、又は、上記液状物を上記基布の表面にコーティングするかのいずれかの手段によって液状物を基布に保持させた後に液状成分を除去して得られる上記シート状物でなる請求項２に記載した養介護用臭気吸着脱臭シート。
【請求項４】
上記無機系臭気吸着剤が、鉛、クロム、モリブデン、タングステンから選ばれる１種又は２種以上の無機物の酸化物、又は、コバルト、ニッケル、鉛、クロム、マンガン、銅、カルシウム、モリブデン、タングステン、ジルコニウム、マグネシウム、バリウムから選ばれる１種又は２種以上の無機物の炭酸塩であり、
上記二次凝集防止処理が、上記水に、有機系又は無機系の分散剤、消泡剤、保護コロイド剤から選ばれる１種又は２種以上の凝集防止剤を添加する処理である請求項２又は請求項３に記載した養介護用臭気吸着脱臭シート。
【請求項５】
上記バインダー成分が、アクリル系、アクリル酢酸ビニル系、ウレタン系の樹脂、酢酸ビニル、エチレン酢酸ビニル、ポリビニルアルコールから選ばれる１種又は２種以上の成分である請求項４に記載した養介護用臭気吸着脱臭シート。
【請求項６】
上記基布に抗菌剤を担持させてある請求項１ないし請求項５のいずれか１項に記載した養介護用臭気吸着脱臭シート。
【請求項７】
表面に溌水加工処理が施されている請求項１ないし請求項６のいずれか１項に記載した養介護用臭気吸着脱臭シート。
【考案の詳細な説明】
【技術分野】
【０００１】
本考案は、養介護用臭気吸着脱臭シート、特にアンモニア臭や硫化水素臭、酢酸臭に対して有効な吸着脱臭作用を発揮させるための対策を講じた養介護用臭気吸着脱臭シートに関する。
【背景技術】
【０００２】
近年では、高齢社会の到来により養介護に役立つ様々な対策が講じられており、病院や一般家庭で養介護のために使われる寝具より漏れ出る不快な悪臭に対する対策もその１つである。
【０００３】
一方で、一般的な悪臭対策としては活性炭の優れた臭気吸着作用を利用することが多々行われている。
【０００４】
また、従来、消臭剤として、鉛、クロム、モリブデン、タングステンの酸化物及びコバルト、ニッケル、鉛、クロム、マンガン、銅、カルシウム、モリブデン、タングステン、ジルコニウム、マグネシウム、バリウムの炭酸塩を有効成分とする消臭剤が提案されていた（たとえば、特許文献１参照）。
【０００５】
【特許文献１】特公平３−６５１８４号公報
【考案の開示】
【考案が解決しようとする課題】
【０００６】
ところで、本願考案者は、病院や一般家庭で養介護のために使われる寝具より漏れ出る不快な悪臭が被介護者の尿漏れによって発生していることが多いということを知り得た。そこで、上記したように一般的な悪臭対策として汎用されている活性炭を用い、尿漏れに伴って発生する臭気を吸着させて脱臭することを試みたけれども、活性炭によっては、尿漏れによる悪臭をそれほど有効に脱臭することができないという結論に達した。
【０００７】
このような背景に立って、本願考案者は、尿漏れに伴って発生する臭気にどのような成分が含まれているかを鋭意調査したところ、その臭気には、活性炭に対する吸着性に乏しいアンモニア、硫化水素、酢酸といった各成分が多く含まれ、それらが悪臭の原因になっているということが判った。
【０００８】
一方、上掲の特許文献１によって提案されている消臭剤は固体であり、下水処理場やし尿処理場の脱水前の汚泥に添加することによって、その汚泥の脱水性を損なわずに脱水後の汚泥ケーキから出る悪臭を脱臭することに有効であることが判っている。
【０００９】
そこで、本願考案者は、たとえば特許文献１に記載されているような無機系固体の酸化物や炭酸塩でなる消臭剤を、尿漏れによって発生する悪臭の脱臭に有効活用することができるか否かにつき調査を進め、それらの無機系固体の酸化物や炭酸塩でなる消臭剤を活用することが尿漏れによって発生する悪臭の脱臭対策として有効であることを突き止め、併せて、それらを養介護に使われる寝具（布団など）の上や下に重ねることのできるシートの形で用いることによって使い勝手のよい養介護に役立つ物品を製作することができるという点に着目した。そして、無機系固定の酸化物や炭酸塩でなる消臭剤を用いる場合に、それをどのようにすればシートの形で用い得ることができるか、という点を併せ考えて本考案を完成させるに至った。
【００１０】
したがって、本考案は、尿漏れに伴って発生するアンモニア、硫化水素、酢酸といった各成分の臭気の吸着性能に優れる無機系臭気吸着剤の脱臭作用を効果的に活用し得る態様で使用することのできる養介護用臭気吸着脱臭シートを提供することを目的としている。
【００１１】
また、本考案は、無機系臭気吸着剤を混合した水を基布に保持させるという製作工程を経る場合に、その水が二次凝集を起こすことをなくすることによって、安定した脱臭性能を発揮する養介護用臭気吸着脱臭シートを提供することを目的とする。
【００１２】
さらに、本考案は、もみ洗いして汚れを取り除いたり尿が直接に接触したりした場合の脱臭性能の低下が抑制されて、洗濯後の再使用が繰り返し可能になる養介護用臭気吸着脱臭シートを提供することを目的とする。
【００１３】
さらに、本考案は、養介護用として特化することに適する抗菌性を付与した養介護用臭気吸着脱臭シートを提供することを目的とする。
【００１４】
さらに、本考案は、尿漏れによって汚れるという事態を抑えることのできる溌水性を付与した養介護用臭気吸着脱臭シートを提供することを目的とする。
【課題を解決するための手段】
【００１５】
本考案に係る養介護用臭気吸着脱臭シートは、基布に、活性炭を除く無機系臭気吸着剤の粉末を担持させたシート状物でなる。この養介護用臭気吸着脱臭シートは、敷布団の上に敷いたり被介護者に掛けておいたりするだけで、その基布に担持されている無機系臭気吸着剤が尿漏れによって発生する臭気成分を吸着して脱臭する。そのため、特に使い勝手に優れた養介護のために臭気吸着脱臭シートが得られ、養介護にかかる煩わしい手間が軽減される。また、無機系臭気吸着剤を担持させた基布は一般ゴミとして処理することができる利便もある。
【００１６】
本考案では、上記シート状物が、無機系臭気吸着剤を混合することによる二次凝集を抑制するための二次凝集防止処理を行った水に、上記無機系臭気吸着剤の粉末と、基布に対する上記粉末の担持性を改善するためのバインダー成分とを混合することにより調製された液状物を、上記基布に保持させた後に液状成分を除去することによって製作されていることが望ましい。この考案では、無機系臭気吸着剤の粉末をバインダー成分を介して基布に担持させる手法として、二次凝集防止処理を行った水に、無機系臭気吸着剤の粉末と、基布に対する上記粉末の担持性を改善するためのバインダー成分とを混合することにより調製された液状物を、上記基布に保持させた後に液状成分を除去する、という手段を採用しているので、シート状物が、基布に万遍なく無機系臭気吸着剤の粉末が担持されたものとなり、当該シートが安定した脱臭性能を発揮するようになる。
【００１７】
本考案の養介護用臭気吸着脱臭シートは、上記液状物を上記基布に含浸させるか、又は、上記液状物を上記基布の表面にコーティングするかのいずれかの手段によって液状物を基布に保持させた後に液状成分を除去して得られる上記シート状物でなることが望ましい。これによれば、液状物を基布に保持させる工程が、含浸又はコーティングといった汎用的な手段によって行われるため、当該シートの製作コストを低減しやすいという利点がある。
【００１８】
本考案では、上記無機系臭気吸着剤が、鉛、クロム、モリブデン、タングステンから選ばれる１種又は２種以上の無機物の酸化物、又は、コバルト、ニッケル、鉛、クロム、マンガン、銅、カルシウム、モリブデン、タングステン、ジルコニウム、マグネシウム、バリウムから選ばれる１種又は２種以上の無機物の炭酸塩であり、上記二次凝集防止処理が、上記水に、有機系又は無機系の分散剤、消泡剤、保護コロイド剤から選ばれる１種又は２種以上の凝集防止剤を添加する処理であることが望ましい。
【００１９】
この考案によれば、上掲の無機系臭気吸着剤を混合した水に上掲の凝集防止剤を添加したことによる作用によって、液状物が二次凝集を起こさなくなる。そのため、無機系臭気吸着剤の粉末が塊状になって水に分散してしまって、基布に保持させた液状物の液状成分を除去したときに無機系臭気吸着剤の粉末の分布密度にむらが出るというような不都合が起こらず、そのことが、脱臭性能の安定性を高めることに役立つ。また、無機系臭気吸着剤として上掲の酸化物や炭酸塩を用いたため、尿漏れに伴って発生するアンモニア、硫化水素、酢酸といった各成分の臭気を効率よく吸着して脱臭する。
【００２０】
本考案では、上記バインダー成分が、アクリル系、アクリル酢酸ビニル系、ウレタン系の樹脂、酢酸ビニル、エチレン酢酸ビニル、ポリビニルアルコールから選ばれる１種又は２種以上の成分であることが望ましい。これによれば、水に不溶の上記バインダー成分の作用によって無機系臭気吸着剤が水分や機械的な刺激によって容易に剥がれ落ちないように基布に担持される。そのために、当該シートをもみ洗いしたり尿で濡れたりしても脱臭性能が容易に消失しなくなる。
【００２１】
また、本考案では、上記基布に抗菌剤を担持させてあることが望ましい。これによれば、尿漏れによって細菌が発生しやすくなる環境を改善することが可能である。
本考案では、表面に溌水加工処理が施されていることが望ましい。これによれば、当該シートが尿で濡れても、その尿が基布にしみこみにくくなって清潔感の持続時間が長くなり、また、洗濯もしやすくなる。
【考案の効果】
【００２２】
本考案に係る養介護用臭気吸着脱臭シートは、活性炭によっては吸着脱臭されにくい尿漏れに伴う悪臭が、基布に担持されている無機系臭気吸着剤によって吸着脱臭されるという性質を発揮するために養介護に適したものである。特に、この養介護用臭気吸着脱臭シートがシート状物でなるので、敷布団の上に敷いたり掛け布団の下や上に重ねて被介護者に掛けたりして用いることが可能になり、そのことが、使い勝手を高めて養介護に要する手間を軽減することに寄与するという卓越した効果を発揮する。
【００２３】
また、無機系臭気吸着剤として、尿の臭気成分であるアンモニア、硫化水素、酢酸といった各成分の臭気の吸着性能に優れる無機物の酸化物や炭酸塩を用いたものでは、尿漏れに伴って発生するアンモニア臭、硫化水素臭、酢酸臭といった不快な臭いが脱臭され、被介護者だけでなく、介護者もその不快臭に起因する悩みが少なくなり、また、介護する部屋や居間に不快臭が漂って生活環境を悪化させるという事態が起こりにくくなる。
【００２４】
そのほか、水に不溶のバインダー成分を用いて無機系臭気吸着剤を基布に担持させたものでは、尿で濡れたり洗濯したりしてもその脱臭性能が消失しにくいために、洗濯後に繰り返し再使用が可能になるという効果が奏される。さらに、抗菌性を付与したり溌水性を付与したりすることも可能であるので、そのことが、養介護の環境を清潔に保って細菌によるかびの発生や二次症状の発生を抑制することに役立つ。
【考案を実施するための最良の形態】
【００２５】
図１は本考案に係る養介護用臭気吸着脱臭シート１の斜視図、図２はその使用例の説明図である。
【００２６】
図１の養介護用臭気吸着脱臭シート（以下「シート」という）１は、芯地としての基布に、敷布団や掛け布団に重ね合わせて使用することのできる大きさのポリエステルシートやレーヨン不織布でなるシート状物が用いられ、その基布に、アンモニア、硫化水素、酢酸の臭気成分を吸着する能力を備えた無機系臭気吸着剤の粉末が表裏両面を含む全体に亘って万遍なく担持されている。ここで、「担持されている」の意味は、無機系臭気吸着剤の粉末が基布に保持されている、という意味であり、無機系臭気吸着剤が基布に化学的に結合しているという意味を含まない。無機系臭気吸着剤には、アンモニア、硫化水素、酢酸の臭気成分の吸着能に乏しい活性炭を除く吸着剤、好ましくは、鉛、クロム、モリブデン、タングステンから選ばれる１種又は２種以上の無機物の酸化物、又は、コバルト、ニッケル、鉛、クロム、マンガン、銅、カルシウム、モリブデン、タングステン、ジルコニウム、マグネシウム、バリウムから選ばれる１種又は２種以上の無機物の炭酸塩が好ましく用いられている。
【００２７】
このシート１は、上掲の無機物の酸化物や炭酸塩といった具体的な無機系臭気吸着剤を混合することによる二次凝集を抑制するための二次凝集防止処理を行った水に、上記無機系臭気吸着剤の粉末と、基布に対する上記粉末の担持性を改善するためのバインダー成分とを混合することにより調製された液状物を、上記基布に保持させた後に液状成分を除去することによって製作されていて、液状成分の除去のための手段には自然乾燥、加熱乾燥などを採用し得る。
【００２８】
上記液状物を基布に保持させる方法には、液状物を上記基布に含浸させるか、又は、上記液状物を上記基布の表面にコーティングするかのいずれかの手段を好適に採用することができ、これらの手段を採用することによって、液状物を保持した基布を容易にかつ安価に得ることが可能になる。
【００２９】
また、上記した二次凝集防止処理は、上記水に、有機系又は無機系の分散剤、消泡剤、保護コロイド剤から選ばれる１種又は２種以上の凝集防止剤を添加する処理であることが望ましく、このような二次凝集防止処理を行うと、水に混合されて分散した上掲の具体的な無機系臭気吸着剤が固まって凝集することが未然に抑制されるために、液状物を基布に保持させて液状成分を除去した際に、無機系臭気吸着剤が基布の全体に万遍なく分布したものとなって当該シート１の脱臭性能の安定性が向上する。
【００３０】
上記バインダー成分には、アクリル系、アクリル酢酸ビニル系、ウレタン系の樹脂、酢酸ビニル、エチレン酢酸ビニル、ポリビニルアルコールから選ばれる１種又は２種以上の成分を用いることが望ましい。これらの各バインダー成分は、水に不溶であるため、当該シート１が尿で濡れて無機系臭気吸着剤が基布から剥がれ落ちてしまうという事態を防ぐことに役立つ。また、当該シート１をもみ洗いなどの手法で洗濯した場合に、無機系臭気吸着剤が基布から剥がれ落ちてしまうという事態を防ぐことにも役立つ。そのため、これらのバインダー成分を使用することにより、当該シート１の洗濯後の繰り返し再使用が可能になる。
【００３１】
この実施形態において、基布に抗菌剤を担持させたり、表面に溌水加工処理を施しておくことは好ましいことである。抗菌剤を担持させることは、細菌によるかびの発生や二次症状の発生を抑制することに役立つち、溌水加工処理を施しておくことも同様の事態の発生を抑制することに役立つので、養介護の環境を清潔に保つ上で有益である。加えて、溌水加工処理を施しておくことによって、シート１が汚れにくくなり、しかも、洗濯による汚れ落ちを速くすることに役立つために、養介護の環境を清潔に保つ上で特に有益である。
【００３２】
この実施形態のシート１は、たとえば図２のように、敷布団２とシーツ３との間に挟み込んで使用することが可能であり、この形で使用すると、被介護者による尿漏れに伴うアンモニア、硫化水素、酢酸などの臭気成分が、効率よくシート１の無機系臭気吸着剤によって吸着脱臭される。そして、シート１に溌水加工処理が施されていると、尿が敷布団にまでしみ込まないので、シート１やシーツ３だけを新しく取り替えるだけで清潔な介護環境をつくり出すことができ、そのことが、介護の手間を省くことに役立つ。
【００３３】
シート１の使用形態は、図２に示したものに限定されるものではなく、それ以外に、たとえば、不快臭の強い被介護者の腰回りを囲んでおくと、不快臭の発生を特に効果的に予防することも可能である。この場合、基布に上記したポリエステルシートやレーヨン不織布でなるシート状物が用いられていることにより、それらの素材自体が発揮する弾力性によってシート１が被介護者の動きに合わせて伸縮するようになり、被介護者に余分な負担が加わりにくいという利点がある。また、シート１を掛け布団の上においたり、被介護者に直接かけたりしておいてもよい。そのほか、シート１を溌水処理を施した布や樹脂シートでなるカバーに入れておくと、尿漏れがあってもシート１自体が濡れることがなくなるために、シート１の取替え回数を減らすことができるという利便がある。
【００３４】
図３、図４及び図５に上記シート１の経時的な脱臭作用を測定した結果を例示してあり、図３は硫化水素臭、図４はアンモニア臭、図５は酢酸臭についての結果である。また、図６に１０ｃｍ×１０ｃｍの大きさのシートを試料とした場合の硫化水素臭、アンモニア臭、酢酸臭についての除去率などを数値表示してある。
【００３５】
図３〜図５の結果により、硫化水素臭、アンモニア臭、酢酸臭のいずれに対しても、使用後３０分程度（０．５ｈ程度）で臭気のほゞ全部が除去されていることが判る。また、図６によっても、使用後３０分程度（０．５ｈ程度）で臭気の９０％前後が除去されていることが判る。
【図面の簡単な説明】
【００３６】
【図１】本考案に係る養介護用臭気吸着脱臭シートの斜視図である。
【図２】使用例の説明図である。
【図３】硫化水素臭についての脱臭作用を示した図面代用グラフである。
【図４】アンモニア臭についての脱臭作用を示した図面代用グラフである。
【図５】酢酸臭についての脱臭作用を示した図面代用グラフである。
【図６】除去率などを数値表示した図面代用の表である。
【符号の説明】
【００３７】
１  シート
【図１】
0003113071.tif 000003
【図２】
0003113071.tif 000004
【図３】
0003113071.tif 000005
【図４】
0003113071.tif 000006
【図５】
0003113071.tif 000007
【図６】
0003113071.tif 000008